(57)【要約】      （修正有）【課題】ストーマ用のパウチとストーマの装着部分が潰れないように保護するストーマ用のパウチ保護具，パウチ固定具及びパウチカバーを提供する。【解決手段】パウチ保護具１０は、略長方形の板状体の両端側が湾曲ないし屈曲した断面略コ字状の本体１２と、該本体１２の両側端１４Ｃ，１４Ｄに沿って設けられたクッション１８，２０と、本体１２の表面１２Ａの中央部に設けられた面テープ１６により構成されている。本体１２は、両側端１４Ｃ，１４Ｄが腹壁側を向くようにパウチ５２を跨ぐとともに、装着状態のパウチ５０とストーマ４２の装着部分を外側から覆う空間２２を有している。着衣（ズボン３０）の内側に設けられた面テープ３２と、本体１２の面テープ１６の係合により、パウチ保護具１０が着脱可能に取り付けられる。ストーマ４２とパウチ５０の装着部分が、本体１２の凹んだ空間２２に収容された状態のため、装着部分が直接押されることがない。【選択図】図１
0003206662.tif 000002
【実用新案登録請求の範囲】
【請求項１】
人体の腹壁に造設されたストーマに装着するパウチ用の保護具であって、
両側端が前記腹壁側を向くように前記パウチを跨ぐとともに、前記ストーマに装着した状態における装着部分を前記パウチの外側から覆う空間を有する湾曲した板状の本体と、
該本体の前記両側端に沿って設けられたクッション材と、
前記本体の前記パウチ収容側と反対面に設けられており、着衣の内側に着脱可能に装着するための着脱手段と、
を有することを特徴とするストーマ用のパウチ保護具。
【請求項２】
前記本体の前記パウチ収容側と反対の面に布地を設けたことを特徴とする請求項１記載のストーマ用のパウチ保護具。
【請求項３】
前記クッション材が、スポンジ又は布地であることを特徴とする請求項１又は２記載のストーマ用のパウチ保護具。
【請求項４】
請求項１〜３のいずれか一項に記載のパウチ保護具で覆うパウチを人体に固定する固定具であって、
パウチに設けられた面板を挿通可能な開口部を有するフレームと、
該フレームを人体に装着するためのバンドと、
前記フレームを装着したときに上側になるフレームの縁部に設けられており、該フレームから上方に向けて突出した突出片と、
を有することを特徴とするストーマ用のパウチ固定具。
【請求項５】
請求項４記載のストーマ用のパウチ固定具の前記フレームの突出片を着脱可能に覆う被覆部と、
前記パウチ固定具に装着されたパウチを覆う筒状部と、
を有することを特徴とするストーマ用のパウチカバー。
【請求項６】
全体が伸縮性を有する素材で形成されていることを特徴とする請求項５記載のストーマ用のパウチカバー。
【考案の詳細な説明】
【技術分野】
【０００１】
本考案は、人工肛門などのストーマ用のパウチ保護具，パウチ固定具及びパウチカバーに関し、更に具体的には、パウチの保護に関するものである。
【背景技術】
【０００２】
人体の腹壁に造設される人工肛門や人工膀胱などのストーマには、排泄物（内容物）を溜めるためのパウチ（ストーマ袋）が装着される。前記パウチは、排泄物が溜まりだすと、パウチの下方が大きく膨らみ、強く押されると潰れて内容物が飛び出すおそれがある。従来、ストーマ袋用のカバーとしては、例えば、下記特許文献１に示すストーマ袋用スマートケアカバーがある。当該技術によれば、本体の布全体に接着芯を張って補強し、カバー布裏面両上端をベルト部まで延ばし、ベルト見返し布に挟んで縫い込み、軽くカーブさせたウェストベルトで、腰部にしっかり装着させる構成となっており、機能性、耐久性、且つスタイルアップ性を重視している。
【先行技術文献】
【特許文献】
【０００３】
【特許文献１】特開２０１３−２４０５６５号公報
【考案の概要】
【考案が解決しようとする課題】
【０００４】
しかしながら、上述した背景技術では、布製のカバーを用いているため、接着芯を貼って強度を補ったとしても、強く押されたときに、ストーマ袋及びカバー自体が変形してしまうことは避けられず、ストーマ袋に力がかかるのを避けることはできず、ストーマとストーマ袋の装着部分の保護が充分ではなかった。
【０００５】
本考案は、以上のような点に着目したもので、ストーマ用のパウチ（ストーマ袋）とストーマとの装着部分を保護する保護具と、該保護具とともに利用されるパウチの固定具及びカバーを提供することを、その目的とする。
【課題を解決するための手段】
【０００６】
本考案のストーマ用のパウチ保護具は、人体の腹壁に造設されたストーマに装着するパウチ用の保護具であって、両側端が前記腹壁側を向くように前記パウチを跨ぐとともに、前記ストーマに装着した状態における装着部分を前記パウチの外側から覆う空間を有する湾曲した板状の本体と、該本体の前記両側端に沿って設けられたクッション材と、前記本体の前記パウチ収容側と反対面に設けられており、着衣の内側に着脱可能に装着するための着脱手段と、を有することを特徴とする。
【０００７】
主要な形態の一つは、前記本体の前記パウチ収容側と反対の面に布地を設けたことを特徴とする。他の形態の一つは、前記クッション材が、スポンジ又は布地であることを特徴とする。
【０００８】
本考案のストーマ用のパウチ固定具は、前記いずれかに記載のパウチ保護具で覆うパウチを人体に固定する固定具であって、パウチに設けられた面板を挿通可能な開口部を有するフレームと、該フレームを人体に装着するためのバンドと、前記フレームを装着したときに上側になるフレームの縁部に設けられており、該フレームから上方に向けて突出した突出片と、を有することを特徴とする。
【０００９】
本考案のストーマ用のパウチカバーは、前記ストーマ用のパウチ固定具の前記フレームの突出片を着脱可能に覆う被覆部と、前記パウチ固定具に装着されたパウチを覆う筒状部と、を有することを特徴とする。主要な形態の一つは、全体が伸縮性を有する素材で形成されていることを特徴とする。本考案の前記及び他の目的，特徴，利点は、以下の詳細な説明及び添付図面から明瞭になろう。
【考案の効果】
【００１０】
本考案によれば、人体の腹壁に造設されたストーマに装着するパウチ用の保護具であって、両側端が前記腹壁側を向くように前記パウチを跨ぐとともに、前記ストーマに装着した状態における装着部分を前記パウチの外側から覆う空間を有する湾曲した板状の本体と、該本体の前記両側端に沿って設けられたクッション材と、前記本体の前記パウチ収容側と反対面に設けられており、着衣の内側に着脱可能に装着するための着脱手段と、を有することとした。このため、前記保護具を着衣の内側に装着するだけで、前記本体が、パウチとストーマの装着部分を外側から覆い、潰れないように保護するため、安心して使用することができるという効果がある。更に、前記パウチを固定する固定具のフレームに突出片を設け、該突出片を着脱可能に覆うとともに、前記パウチを覆う筒状部を有するカバーを併用することで、パウチの装着感（肌触り等）の向上を図り、着衣がめくれた場合にも一見してわかりにくくすることができる。
【図面の簡単な説明】
【００１１】
【図１】本考案の実施例１を示す図であり、(A)はパウチ保護具を装着する前の状態を示す外観斜視図，(B)はパウチ保護具を装着した状態を示す側面図，図１(C)は前記(B)を矢印ＦＡ方向から見た平面図である。
【図２】本考案の実施例２を示す図であり、(A)はパウチ固定具，装具，パウチカバーを示す図，(B)はパウチカバーをパウチに装着した状態を示す平面図，(C)は前記(B)を更にパウチ保護具で覆った状態を示す斜視図である。
【図３】本考案の他の実施例を示す図である。
【考案を実施するための形態】
【００１２】
以下、本考案を実施するための最良の形態を、実施例に基づいて詳細に説明する。
【実施例１】
【００１３】
最初に、図１を参照しながら、本考案の実施例１を説明する。図１は、本実施例を示す図であり、(A)はパウチ保護具を装着する前の状態を示す外観斜視図，図１(B)はパウチ保護具を装着した状態を示す側面図，図１(C)は前記(B)を矢印ＦＡ方向から見た平面図である。図１(A)〜(C)に示すように、本実施例のパウチ保護具１０は、着衣（本実施例では、ズボン３０）の内側に装着するものであって、装具５０のパウチ５２をストーマ４２に装着したときに、前記パウチ５２と前記ストーマ４２の装着部分を外側から覆う位置となるように、前記着衣の内側に装着されるものである。
【００１４】
前記パウチ保護具１０は、略長方形の板状体の両端側が湾曲ないし屈曲した断面略コ字状の本体１２と、該本体１２の両側端１４Ｃ，１４Ｄに沿って設けられたクッション１８，２０と、前記本体１２の表面１２Ａの中央部に設けられた面テープ１６により構成されている。前記本体１２は、例えば、プラスチック材料により形成されており、前記両側端１４Ｃ，１４Ｄが人体の腹壁側を向くように前記パウチ５２を跨ぐとともに、前記ストーマ４２に装着した状態における装着部分を前記パウチ５２の外側から覆って保護する凹んだ空間２２を有している。
【００１５】
前記クッション１８，２０は、前記両側端１４Ｃ，１４Ｄが身体に触れたときに保護するためのもので、本実施例では、スポンジが用いられている。なお、スポンジに限らず、身体に触れる部分を保護できるものであれば厚手の布地や、柔軟性のある樹脂等を用いてもよい。前記面テープ１６は、前記ズボン３０の内側に設けられた面テープ３２と着脱可能に係合するものであって公知である。なお、図示の例では、衣類をズボン３０としたが、ストーマ４２の位置に応じて、どのような種類の衣類のどの位置に前記面テープ３２を設けるかは、適宜変更してよい。
【００１６】
一方、前記装具５０は、排泄物を溜めるパウチ（ストーマ袋）５２と面板５４を備えた公知の構成となっている。前記装具５０は、固定具６０により装着者４０の胴部に固定され、前記面板５４が汗ではがれたりするのを防止する。前記固定具６０は、前記パウチ５２に設けられた面板５４を挿通可能な開口部６３を有するリング状のフレーム６２と、該フレーム６２の上縁６４に設けられた突出片６８と、前記フレーム６２の両側部６２Ａ，６２Ｂに設けられており、前記フレーム６２を着脱可能に装着するバンド６６により構成されている。前記フレーム６２に設けられた突出片６８については、以下の実施例２で説明する。
【００１７】
使用するときは、前記固定具６０のフレーム６２の開口部６３に、前記装具５０の面板５４を通し、装具５０をストーマ４２に装着し、バンド６６で装着者４０の胴部に固定する。一方、ズボン３０の内側の面テープ３２に、本体１２の面テープ１６を係合させて、パウチ保護具１０を取り付けておく。なお、ズボン３０側の面テープ３２は、多少の位置の調節ができるように、上下や左右に所定の余裕を有する寸法で設けておくようにしてもよい。
【００１８】
このように、本実施例によれば、ズボン３０の内側にパウチ保護具１０を取り付けておくことにより、図１(B)に示すように、装具５０を固定具６０によって身体に固定し、衣服を着用したときに、ストーマ４２とパウチ５２の装着部分が、前記パウチ保護具１０の凹んだ空間２２に収容されて保護されている状態のため、前記装着部分やパウチ５２が直接押されて潰れるおそれがなく、安心して装具５０を使用することができる。
【実施例２】
【００１９】
次に、図２を参照しながら、本考案の実施例２を説明する。なお、上述した実施例１と同一ないし対応する構成要素には同一の符号を用いることとする（以下の実施例についても同様）。本実施例は、上述した実施例１のパウチ保護具１０とともに、パウチカバーを用いる例である。図２(A)はパウチ固定具，装具，パウチカバーを示す図，(B)は前記パウチカバーをパウチに装着した状態を示す平面図，(C)は前記(B)を更にパウチ保護具で覆った状態を示す斜視図である。図２(A)に示すように、固定具６０は、前記実施例１と同様の構成となっており、開口部６３を有するリング状のフレーム６２と、その上縁６４に設けられた突出片６８と、バンド６６により構成されている。前記突出片６８は、前記フレーム６２にネジ止めなどの適宜手段によって固定されているが、他の手段により固定してもよいし、前記フレーム６２と一体に形成されていてもよい。また、前記突出片６８を着脱可能な構成とすることを妨げるものではない。前記装具５０も、前記実施例１と同様の構成であり、パウチ５２と面板５４とからなる構成となっている。
【００２０】
本実施例では、前記パウチ５２の外側を直接覆うパウチカバー８０を用いている。該パウチカバー８０は、パウチ５２が直接皮膚にあたらないように保護するためのものである。また、パウチ５２が見えたときに、装具５０を使用していることが目立たないようにするものでもある。前記パウチカバー８０は、本実施例では、図２(B)に示すように、全体が略長方形であって、伸縮性を有する生地によって形成されている。前記パウチカバー８０の上端８０Ａは、所定の幅で裏面８２Ｂ側に折り返され、両端側を縫製により閉じて固着部８６Ａ，８６Ｂとし、中央部分のみ口を開けている。この開放した部分が、前記固定具６０のフレーム６２の突出片６８を着脱可能に覆う被覆部８８である。また、前記パウチカバー８０の中央部分から下端８０Ｂにかけては、筒状部９０が形成されており、該筒状部９０の内側に前記パウチ５２が収納される。
【００２１】
図２(B)には、前記装具５０を固定具６０に取り付け、かつ、前記固定具６０のフレーム６２の突出片６８にパウチカバー８０の上端８０Ａの被覆部８８を掛け、前記パウチ５２の本体部分を、前記筒状部９０に収納した様子が示されている。なお、図２(B)は、裏面（人体側を向く面）を示しており、表から見た状態は、図２(C)に示されている。このように、パウチ保護具１０とパウチカバー８０を併用することにより、パウチ保護具１０により、ストーマ４２とパウチ５２の装着部分が外部から押されるのを保護し、また、パウチカバー８０により、パウチ５２が直接肌に接触するのを防いで、肌触りを改善したり、汗による刺激等を防止したりすることができるため、安心して心地よく使用することができる。また、前記パウチカバー８０は、表側から見たときに、前記パウチ５２のほぼ全面を覆っているため、着衣がめくれたりしても、装具５０とはわかりにくいという効果がある。
【００２２】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。例えば、前記本体１２を長く形成し、パウチ５２の下方まで覆うようにしてもよい。また、材質についても、同様の効果を奏するものであれば、公知の各種の材質を用いてよい。
(2)前記実施例１では、パウチ保護具１０を、ズボン３０側に取り付けることとしたが、これも一例であり、図３(A)に示す例のように、シャツ等の上着７０側に取り付けるようにしてもよい。
【００２３】
(3)前記パウチ保護具１０の表面１２Ａに、布地等を貼り付けるようにしてもよい。例えば、図３(B)に示すパウチ保護具１０Ａのように、本体１２の表面１２Ａ側（パウチ５２を収容する空間２２と反対側の面）に、デニム地や柄物の生地２６等を貼り付けることにより、着衣がずれたり、めくれたりしても、装具５０を付けていることが目立ちにくい。
(4)前記実施例では、スポンジをクッションとして用いたが、同様の効果を奏するものであれば、厚手の生地でもよいし、やわらかい樹脂であってもよい。
(5)前記実施例では、パウチ保護具に設けた面テープと、着衣の内側に設けた面テープの係合により着脱することとしたが、これも一例であり、同様の効果を奏するものであれば、公知の各種の着脱手段を用いてよい。
【産業上の利用可能性】
【００２４】
本考案によれば、人体の腹壁に造設されたストーマに装着するパウチ用の保護具であって、両側端が前記腹壁側を向くように前記パウチを跨ぐとともに、前記ストーマに装着した状態における装着部分を前記パウチの外側から覆う空間を有する湾曲した板状の本体と、該本体の前記両側端に沿って設けられたクッション材と、前記本体の前記パウチ収容側と反対面に設けられており、着衣の内側に着脱可能に装着するための着脱手段と、を有することとした。このため、前記保護具を着衣の内側に装着するだけで、ガード本体がパウチとストーマの装着部分の外側を覆い、潰れないように保護するため、安心して使用することができ、ストーマ用のパウチ保護具の用途に適用できる。
【符号の説明】
【００２５】
１０，１０Ａ：パウチ保護具
１２：本体
１２Ａ：表面
１２Ａ：裏面
１４Ａ：上端
１４Ｂ：下端
１４Ｃ，１４Ｄ：側端
１６：面テープ
１８，２０：クッション
２２：空間
２６：布地
３０：ズボン
３２：面テープ
４０：装着者
４２：ストーマ
５０：装具
５２：パウチ
５４：面板
６０：固定具
６２：フレーム
６２Ａ，６２Ｂ：側部
６３：開口部
６４：上縁
６６：バンド
６８：突出片
７０：上着
８０：カバー
８０Ａ：上端
８０Ｂ：下端
８０Ａ：表面
８２Ｂ：裏面
８４：折り返し部
８６Ａ，８６Ｂ：固着部
８８：被覆部
９０：筒状部
【図１】
0003206662.tif 000003
【図２】
0003206662.tif 000004
【図３】
0003206662.tif 000005